(57)【要約】【課題】屋外で使用しても耐久性に支障のない材料で形成でき、かつ、消音と通風とを兼ね備えた建物外壁材を提供すること。【解決手段】スリット状の開口部（凹溝８）を有する吸音パネル５の複数枚を騒音発生源に対して適切な角度で維持しつつ互いに離間して平行に配置することにより吸音パネル５間には通風が確保されているルーバ状の防音通風ユニット１を備えている。屋外で使用しても耐久性に支障のない材料で形成でき、かつ、消音と通風とを兼ね備えた建物外壁材を提供することができる。これにより、例えば、バルコニ腰壁などの材料としてこの建物外壁材を用いることができる。【選択図】  図１
2005256568.tif 000002
【特許請求の範囲】
【請求項１】
スリット状の開口部を有する吸音パネルの複数枚を騒音発生源に対して適切な角度で維
持しつつ互いに離間して平行に配置することにより前記吸音パネル間には通風が確保され
ているルーバ状の防音通風ユニットを備えたことを特徴とする建物外壁材。
【請求項２】
前記吸音パネルのスリットは主要成分として１ｋＨｚの音を吸収するように設定されて
いることを特徴とする請求項１記載の建物外壁材。
【請求項３】
前記建物外壁材の少なくとも一面を多数の細孔が開口されている面材により保護したこ
とを特徴とする請求項１又は２記載の建物外壁材。
【発明の詳細な説明】
【技術分野】
【０００１】
本発明は、騒音と通風が確保された建物外壁材に関する。
【背景技術】
【０００２】
建物の外壁やバルコニなどに用いられる建材外壁材は、繊稚補強セメント板などから形
成されているので通常は通風を確保することができない。
【０００３】
通風を確保する場合には、外壁の一部に可動式又は固定式のルーバを組み込めばよいが
、通風を確保すると外部の騒音の低減は期待できない。
【０００４】
一方、建物の外壁やバルコニ等に対して防音を行う防音技術も多数提案されている（例
えば、特許文献１〜３参照。）。
【０００５】
特許文献１によれば、多孔質な吸音板がコンクリート板と一体に接着されている吸音板
付きバルコニ板が提案されている。
【０００６】
また、特許文献２によれば、粉体自身の振動により吸音性能を発現する粉体を利用した
吸音材が充填されているスラットを用いた遮音ブラインドが提案されている。
【０００７】
また、特許文献３によれば、グラスウールを芯材としてその周面を布材で被覆してなる
吸音板を羽根板とした消音ルーバが提案されている。
【特許文献１】特開平８−１２８１０７号公報
【特許文献２】特開平５−２７２２８１号公報
【特許文献３】特開平５−３３２６８７号公報（請求項４）
【発明の開示】
【発明が解決しようとする課題】
【０００８】
特許文献１に記載の吸音板では、コンクリート板が一体に接着されているので通風を確
保することが困難である。
【０００９】
また、特許文献２又は３に記載のような遮音ブラインド又は消音ルーバによれば、通風
は確保されるものの、このような遮音ブラインド又は消音ルーバでは、多孔質吸音材を用
いているために、特にバルコニなどの屋外で使用するには耐候性等の耐久性の側面で問題
があった。
【００１０】
そこで、この発明は、屋外で使用しても耐久性に支障のない材料で形成でき、かつ、消
音と通風とを兼ね備えた建物外壁材を提供することを目的とする。
【課題を解決するための手段】
【００１１】
本発明は、スリット状の開口部を有する吸音パネルの複数枚を騒音発生源に対して適切
な角度で維持しつつ互いに離間して平行に配置することにより前記吸音パネル間には通風
が確保されているルーバ状の防音通風ユニットを備えたことを特徴とする建物外壁材であ
る。
【００１２】
このような建物外壁材によれば、スリット状の開口部を有する吸音パネルの複数枚を騒
音発生源に対して適切な角度で維持しつつ互いに離間して平行に配置することにより通風
性能を妨げずに騒音を低減させることができる。
【００１３】
このような建物外壁材をバルコニ腰壁材として用いても、吸音パネル材として耐候性の
良好なものを選択すれば、長期間使用しても耐候性が確保され、耐久性の良好なバルコニ
腰壁材を提供することができる。
【００１４】
この吸音パネルのスリットは主要成分として１ｋＨｚの音を吸収するように設定されて
いれば、交通騒音に対して特に有効に作用することができる。
【００１５】
また、この建物外壁材の少なくとも一面を多数の孔が開口されている面材により保護す
れば、通風を確保しつつ、内部からの再反射音を吸音させることができる。
【００１６】
また、この開口として足がかりが困難な程度の小径の多数の細孔とすれば、この面材を
バルコニの居室側に配置させることにより、通風が確保され、騒音が防止され、かつ、足
がかりが防止されて幼児等がバルコニをよじ登り難くすることができる。
【００１７】
このような細孔を備えた面材としては、開口率が５０％以上（例えば、６４％）であり
、最大径が１０ｍｍ〜１５ｍｍ（例えば、１２ｍｍ角をピッチ１５ｍｍに配置）の範囲内
の多数の開口が穿設されたものが好ましい。
【発明の効果】
【００１８】
本発明によれば、屋外で使用しても耐久性に支障のない材料で形成でき、かつ、消音と
通風とを兼ね備えた建物外壁材を提供することができる。これにより、例えば、バルコニ
腰壁などの材料としてこの建物外壁材を用いることができる。
【発明を実施するための最良の形態】
【００１９】
以下に本発明の建物外壁材を実施するための最良の形態について図面を参照しつつ詳細
に説明する。
【００２０】
まず、図１は、この発明に係る建物外壁材を構成するルーバ状の防音通風ユニット１の
概要を模式的に説明する斜視図である。
【００２１】
この防音通風ユニット１は、建物バルコニ用のものであり、フレーム枠体２の前後面２
ａ、２ｂには壁材３が固定され、両側面２ｃ、２ｄには支持板４が固定されている。
【００２２】
この支持板４に固定されて互いに平行に所定間隔Ｐを開けて傾斜して配置された複数の
吸音板（吸音パネル）５がルーバ状に固定されている。この吸音板５が固定される面積に
応じて、各壁材３の中央付近には、通風性面材６が嵌め込まれている。
【００２３】
ここで、フレーム枠体２としては、防音通風ユニット１の形態を維持する目的であり、
本発明においては、なくても良い。
【００２４】
また、壁材３としては、周囲の環境に即した面材であり、例えば、繊稚補強セメント板
などの建物の外壁面、バルコニ用に用いる外壁面材、内壁仕上げ材などが例示される。
【００２５】
支持板５としては、吸音板５を支持するものであり、吸音板５が他の手段により支持さ
れていれば、特には必要はない。このような他の手段としては、複数の吸音板５を所定の
角度で一体に支持するフレーム枠などが例示できる。
【００２６】
また、吸音板５は、対象とされるべき騒音の音圧の周波数特性に近似した吸音特性を有
する吸音板であり、図２に示すように、アルミニウム材、ステンレス材、鋼板材などの耐
久性材料により構成できる平面板７であり、例えば、折り曲げ加工等により長手方向に延
びる開口を備えたスリット状の凹溝８を形成したものである。この凹溝８は、音圧の周波
数特性に応じて所定の幅Ｓｗ，深さＳｄ及びピッチＳｐで形成され、所定のピッチＰで互
いに離間して配列されている。
【００２７】
また、このような吸音板５は、対象とされる騒音発生源に対して最も効率よく消音でき
るように傾斜して配置されている。この傾斜は、平面板７の平面に対する法線とのなす角
度θが所定の角度になるように設計されている。
【００２８】
また、通風性面材６としては、例えば、ステンレス鋼板、アルミ板などの耐候性を備え
た面材（パネル）に通風を確保するための細孔６ａが穿設させたものが例示される。この
ような通風性面材６として、具体的にはパンチングメタルやエキスパンドメタルが例示さ
れるが、耐候性が良くて、通風性が確保できる面材であれば特には制限はない。
【００２９】
以上のように構成された防音通風ユニット１では、通風性面材６および所定の間隔Ｐを
開けてルーバ状に配列された吸音板５間の隙間を利用して十分な通風を確保することがで
きる。
【００３０】
また、このように構成された防音通風ユニット１では、防音通風ユニット１のルーバ状
に配列された吸音板５間を通過する音は、音波が伝搬する際に吸音され騒音が低減される
。
【００３１】
また、このように構成された防音通風ユニット１では、前面２ａに通風性面材６が配置
されているので、通風を損なうことなく内部からの再反射音も吸音することができる。
【００３２】
さらに、この吸音板５は、耐候性の優れたもので形成されているので、２階のバルコニ
２ＦＢａなどの耐候性が強く要求される場所に使用しても、充分な耐久性を備えることが
できる。
【００３３】
つぎに、図３は、このような防音通風ユニット１をバルコニ９の腰壁１０又は腰壁１０
の一部として組み込んだ場合の模式図である。
【００３４】
この図において、符号１１はバルコニ１０の手摺りであり、この腰壁１０には、一部分
に防音通風ユニット１が組み込まれている。もちろん腰壁１０の前面がこの防音通風ユニ
ット１を組み合わせて構成されていてもよい。
【００３５】
この防音通風ユニット１は、図１で説明したものと実質的に同一乃至は均等なものであ
り、２５〜４０゜で傾斜して複数の吸音板５が固定されてルーバ状に形成されている。
【００３６】
この防音通風ユニット１の室内側の通風性面材６は、口径１２ｍｍ角の細孔６ａがピッ
チ１５ｍｍで穿設されて６４％の開口率を保持している。
【００３７】
また、各吸音板５は、対象となる騒音として交通騒音を想定して周波数特性として１ｋ
Ｈｚ程度の音質の騒音が効率よく吸音できるように設計されている。
【００３８】
このような凹溝（スリット）８は、例えば、深さＳｄが５〜２０ｍｍの範囲内、幅Ｓｗ
が１０〜２０ｍｍの範囲内、ピッチＳｐが５０〜１００ｍｍの範囲内、かつ、各吸音板５
間のピッチＰが２０〜５０ｍｍの範囲内で形成され、また各吸音パネル５は、入射角度θ
を２５゜〜４０゜の範囲内に設定されて吸音パネル５の傾斜平面は道路に向けて配設され
ている。ここで、入射角度θとは、図２に示すように、入射面１２への法線１３（入射面
９に垂直な垂線）に対してなす角度として定義される。
【００３９】
これにより、走行中の車などから発する地面１４とのなす角度θ１が２３〜４０゜の範
囲内で吸音板５に入射した交通騒音（矢印で示している。）はルーバ内で最も効率よく反
射されて吸音される。また、内部で反射した再反射音は室内側に配設された通風性面材６
により吸音される。
【００４０】
これらにより、このような吸音性能を備えたルーバ状の吸音板を配置した防音通風ユニ
ット１を設けることにより、通常のルーバを用いて通風を確保した場合に比べて、交通騒
音が５ｄＢ〜１０ｄＢ程度低減させることができる。また、この交通騒音の低減に際して
通風性は損傷が全くない。
【００４１】
さらに、このような防音通風ユニット１では、通風性面材６の細孔６ａの寸法が足がか
りが困難な程度に小さいので、幼児等がバルコニをよじ登り難くすることができる。
【００４２】
つぎに、図４は、このような防音通風ユニット１を建物外壁１５の一部として組み込ん
だ場合の模式図である。
【００４３】
この図において、符号１６は建物内壁面に敷設された内壁仕上げ材であり、この図４の
防音通風ユニット１では、室内側の壁材３には、内壁仕上げ材１６と同一色の壁材３が用
いられ、屋外側には外壁材と同一色の壁材（不図示）３が用いられている。
【００４４】
このような防音通風ユニット１は、図３で説明したものと実質的に同一乃至は均等なも
のであり、２５〜４０゜で傾斜して複数の吸音板５が固定されてスリット付きのルーバが
形成されている。また、室内側の通風性面材６としては充分な開口率を保持している。
【００４５】
また、各吸音板５は周波数特性として１ｋＨｚ程度の音質の騒音が効率よく吸音できる
ように、深さＳｄが５〜２０ｍｍの範囲内、幅Ｓｗが１０〜２０ｍｍの範囲内、ピッチＳ
ｐが５０〜１００ｍｍの範囲内の凹溝８を備え、かつ、吸音板５間のピッチＰが２０〜５
０ｍｍの範囲内で形成され、また各吸音パネル５は、入射角度θを２５゜〜４０゜の範囲
内に設定されて吸音パネル５の傾斜平面は道路に向けて配設されている。
【００４６】
これにより、交通騒音はルーバ内で最も効率よく反射されて吸音され、内部で反射した
再反射音は室内側に配設された通風性面材６により吸音されて、図３の場合と同様に、交
通騒音が５ｄＢ〜１０ｄＢ程度低減されて、かつ、通風性が確保される。
【産業上の利用可能性】
【００４７】
以上、本発明によれば、屋外で使用しても耐久性に支障のない材料で形成でき、かつ、
消音と通風とを兼ね備えた建物外壁材を提供することができる。これにより、例えば、バ
ルコニ腰壁などの材料としてこの建物外壁材を用いることができる。
【００４８】
また、建物外壁の一部として適宜の箇所に組み込むことにより建物内の通風と消音（又
は防音）とを耐候性良好に維持することができる。
【００４９】
また、以上は外部からの騒音を想定したが、建物内部から騒音が発生する場合には、騒
音発生源に対して、適切な角度で設計すれば、建物内部から発生する騒音を外部に漏らす
ことを低減して、かつ、通風を確保することもできる。
【００５０】
以上、本発明の実施の形態を実施例に基づいて説明したが、本発明は上記実施例に限定
されるものではなく、本発明の要旨を逸脱しない範囲の設計変更等があっても本発明に含
まれる。
【００５１】
例えば、以上の実施例では、遮音パネル５は固定されていたが傾斜角度が無段階に又は
段階的に変更できるように可動式であってもよい。
【００５２】
防音通風ユニットにより説明したが、ユニットによらずに壁内にルーバを直接組み込ん
で形成してもよい。
【図面の簡単な説明】
【００５３】
【図１】本発明の最良の実施の形態に係る建物外壁材の一例としての防音通風ユニットの構成を模式的に説明する斜視図である。
【図２】図１の吸音板の配置状況を説明する図である。
【図３】本発明に係る防音通風ユニットをバルコニ腰壁に組み込んだ実施例を説明する図である。
【図４】本発明に係る防音通風ユニットを外壁に組み込んだ実施例を説明する図である。
【符号の説明】
【００５４】
１：防音通風ユニット
２：フレーム枠体
２ａ：前面
２ｂ：後面
２ｃ、２ｄ：側面
３：壁材
４：支持板
５：吸音板（吸音パネル）
６：通風性面材（面材）
６ａ：細孔
７：平面板
８：凹溝（スリット状の開口部）
９：バルコニ
１０：腰壁
１１：手摺り
１２：入射面
１３：放線
１４：地面
１５：建物外壁
１６：内壁仕上げ材
Ｐ：吸音板５の配列ピッチ
Ｓｗ：凹溝８の幅
Ｓｄ：凹溝８の深さ
Ｓｐ：凹溝８のピッチ
【図１】
2005256568.tif 000003
【図２】
2005256568.tif 000004
【図３】
2005256568.tif 000005
【図４】
2005256568.tif 000006